(57)【要約】【課題】高画質な画像を得ることが可能な撮像装置を提供する。【解決手段】被写体像を撮像する撮像手段を有する撮像装置であって、所定の周期で動作する、前記撮像手段から読み出されるアナログ信号をディジタル信号に変換するアナログ・ディジタル変換手段と、前記撮像手段から読み出されるアナログ信号の位相と、前記アナログ・ディジタル変換手段を動作させる信号の位相との相対的な関係を、前記撮像装置の周辺の被写体条件に応じて、調整する制御手段とを有することを特徴とする撮像装置を提供する。【選択図】      図２
2004172848.tif 000002
【特許請求の範囲】
【請求項１】
被写体像を撮像する撮像手段を有する撮像装置であって、
所定の周期で動作する、前記撮像手段から読み出されるアナログ信号をディジタル信号に変換するアナログ・ディジタル変換手段と、
前記撮像手段から読み出されるアナログ信号の位相と、前記アナログ・ディジタル変換手段を動作させる信号の位相との相対的な関係を、前記撮像装置の周辺の被写体条件に応じて、調整する制御手段と、
を有することを特徴とする撮像装置。
【請求項２】
請求項１において、前記被写体条件は、温度を含むことを特徴とする撮像装置。
【請求項３】
請求項１又は２において、前記制御手段は、前記撮像装置の周辺の第１の被写体条件の場合に、前記アナログ・ディジタル変換手段を動作させるための第１の位相の信号を用い、前記撮像装置の周辺の第２の被写体条件の場合に、前記アナログ・ディジタル変換手段を動作させるための第２の位相の信号を用いることを特徴とする撮像装置。
【請求項４】
請求項１乃至３のいずれか１項において、前記撮像手段からの信号を読み出す複数の出力部と、前記複数の出力部からの信号を時系列的な信号にして出力するマルチプレクサとを有し、前記マルチプレクサからの時系列的な信号が前記アナログ・ディジタル変換手段に出力されることを特徴とする撮像装置。
【請求項５】
被写体像を撮像する撮像手段を有する撮像装置であって、
所定の周期で動作する、前記撮像手段から読み出されるアナログ信号をディジタル信号に変換するアナログ・ディジタル変換手段と、
前記撮像手段から読み出されるアナログ信号の位相と、前記アナログ・ディジタル変換手段を動作させるための信号の位相とを段階的に相対的にずらし、各々のずらし量で得られた前記撮像手段からの信号の比較に基づき、前記撮像手段から読み出されるアナログ信号の位相と、前記アナログ・ディジタル変換手段を動作させる信号の位相との相対的な関係を決定する制御手段と、
を有することを特徴とする撮像装置。
【請求項６】
請求項５において、前記撮像手段は、被写体像を撮像する第１の領域と、遮光をされた第２の領域とを有し、前記制御手段は、各々のずらし量で得られた前記撮像手段に含まれる前記第２の領域からの信号の比較に基づき、前記撮像手段から読み出されるアナログ信号の位相と、前記アナログ・ディジタル変換手段を動作させる信号の位相との相対的な関係を決定することを特徴とする撮像装置。
【請求項７】
被写体像を撮像する撮像手段と、前記撮像手段からの信号を読み出す複数の出力部とを有する撮像装置であって、
前記複数の出力部からの信号を時系列的な信号にして出力するマルチプレクサと、
所定の周期で動作する、前記マルチプレクサから読み出されるアナログ信号をディジタル信号に変換するアナログ・ディジタル変換手段と、
前記撮像手段から読み出されるアナログ信号の位相と、前記アナログ・ディジタル変換手段を動作させるための信号の位相とを段階的に相対的にずらし、各々のずらし量で得られた前記複数の出力部からの信号の比較に基づき、前記撮像手段から読み出されるアナログ信号の位相と、前記アナログ・ディジタル変換手段を動作させる信号の位相との相対的な関係を決定する制御手段と、
を有することを特徴とする撮像装置。
【発明の詳細な説明】
【０００１】
【発明の属する技術分野】
本発明は、被写体像を撮像する撮像装置に関する。
【０００２】
【従来の技術】
近年、デジタル画像形成装置デジタルビデオの進歩はめざましく、画素数や画素密度が向上し画質で銀塩画像形成装置に匹敵するほどのデジタル画像形成装置も登場してきている。このデジタル画像形成装置においては、エリアセンサから各画素の光電変換信号を順次読み出しそのアナログ信号をアナログデジタル変換（以下ＡＤ変換と記載）し、そのデジタルデータから画像を形成するものが一般的になっている。画素数が増えてくると解像度が高まり高画質になってくるが、ＡＤ変換のスピードが同じであれば、１画面全体の読み出し時間は長くなり連続撮影で１秒間に何枚撮影できるかといういわゆる駒速が遅くなってしまう。そこでエリアセンサからの読み出しスピード及びＡＤ変換のスピードを速くすることや、１つの画面からの画素出力を複数の経路で読み出す多チャンネル読み出し等が課題となってきている。
【０００３】
【発明が解決しようとする課題】
しかしながら、読み出しスピードを早くしてＡＤ変換のスピードを上げる方法においては、読み出しアンプの応答スピードの問題やクロックノイズの問題等があって読み出しの周期に対するＡＤ変換周期の位相が良好な範囲が狭くなり、位相がずれて画像にノイズが目立ったり、パターンのノイズが出てきたりして高画質を実現することがかなり難しかった。また多チャンネルの読み出しにおいても、複数のチャンネルの読み出しをマルチプレクスするときのノイズや、お互いのチャンネルどうしのクロストークなどで、やはり読み出しの周期に対するＡＤ変換周期の位相が良好な範囲が狭くなり、やはり高画質を実現することが難しかった。さらにエリアセンサからの画素出力を読み出すためのパルスは、タイミングジェネレーター（以下ＴＧと称す）から作られるが、作られたパルスから実際に画素出力が出てくるまでのディレイ時間は、環境温度によって変化したり固体のばらつきがあったりと、従来のように回路的に位相補償して、常に良好な位相でＡＤ変換して読み出すことが非常に困難であった。
【０００４】
【課題を解決するための手段】
上記課題を解決するために、被写体像を撮像する撮像手段を有する撮像装置であって、所定の周期で動作する、前記撮像手段から読み出されるアナログ信号をディジタル信号に変換するアナログ・ディジタル変換手段と、前記撮像手段から読み出されるアナログ信号の位相と、前記アナログ・ディジタル変換手段を動作させる信号の位相との相対的な関係を、前記撮像装置の周辺の被写体条件に応じて、調整する制御手段とを有することを特徴とする撮像装置を提供する。
【０００５】
また、被写体像を撮像する撮像手段を有する撮像装置であって、所定の周期で動作する、前記撮像手段から読み出されるアナログ信号をディジタル信号に変換するアナログ・ディジタル変換手段と、前記撮像手段から読み出されるアナログ信号の位相と、前記アナログ・ディジタル変換手段を動作させるための信号の位相とを段階的に相対的にずらし、各々のずらし量で得られた前記撮像手段からの信号の比較に基づき、前記撮像手段から読み出されるアナログ信号の位相と、前記アナログ・ディジタル変換手段を動作させる信号の位相との相対的な関係を決定する制御手段とを有することを特徴とする撮像装置を提供する。
【０００６】
また、被写体像を撮像する撮像手段と、前記撮像手段からの信号を読み出す複数の出力部とを有する撮像装置であって、前記複数の出力部からの信号を時系列的な信号にして出力するマルチプレクサと、所定の周期で動作する、前記マルチプレクサから読み出されるアナログ信号をディジタル信号に変換するアナログ・ディジタル変換手段と、前記撮像手段から読み出されるアナログ信号の位相と、前記アナログ・ディジタル変換手段を動作させるための信号の位相とを段階的に相対的にずらし、各々のずらし量で得られた前記複数の出力部からの信号の比較に基づき、前記撮像手段から読み出されるアナログ信号の位相と、前記アナログ・ディジタル変換手段を動作させる信号の位相との相対的な関係を決定する制御手段とを有することを特徴とする撮像装置を提供する。
【０００７】
【発明の実施の形態】
（実施の形態１）
本発明の実施の形態１について説明する。
【０００８】
図１と図２で、本発明実施の撮像装置の電気回路ブロック図を示している。
【０００９】
まず図１で、１００のマイコン１は、所定のファームウエアにより撮像装置内の動作をつかさどる。
【００１０】
ＥＥＰＲＯＭ１００ｂは、撮影情報を記憶可能である。
【００１１】
１００ｃのＡ／Ｄは、焦点検出回路１０５、測光回路１０６、温度計回路１０９からのアナログ信号をＡ／Ｄ変換し、撮像装置マイコン１はそのＡ／Ｄ値を信号処理することにより各種状態を設定する。
【００１２】
マイコン１には、焦点検出回路１０５、測光回路１０６、シャッター制御回路１０７、モーター制御回路１０８、スイッチセンス回路１１０、ＬＣＤ駆動回路１１１、温度計回路１０９が接続されている。また、撮影レンズ側とはマウント接点群１０を介して信号の伝達がなされる。さらに撮像部回路ブロック１２とも信号とのやりとりを行う。撮像部回路ブロック１２は、図２を用いて後述する。
【００１３】
ラインセンサ２９は撮影画面内の複数ポイントの焦点状態を検出するためのもので、撮影光学系の２次結像面にペアで各測距ポイントに配置されている。焦点検出回路１０５はマイコン１の信号に従い、これらラインセンサー２９の蓄積制御と読み出し制御を行って、それぞれ光電変換された画素情報をマイコン１に出力する。
【００１４】
マイコン１はこの情報をＡ／Ｄ変換し周知の位相差検出法による焦点検出を行う。
【００１５】
マイコン１は焦点検出情報により、レンズマイコン１１２と信号のやりとり行うことによりレンズの焦点調節を行う。
【００１６】
測光回路１０６は画面内の各エリアの輝度信号として、撮影画面内を複数のエリアに分割した多分割測光センサ７からの出力をマイコン１に出力する。
【００１７】
マイコン１は輝度信号Ａ／Ｄ変換し、撮影の露出の調節のための絞り値の演算とシャッタースピードの演算を行う。
【００１８】
シャッター制御回路１０７は、マイコン１からの信号に従って、シャッター先幕（ＭＧ−１）、シャッター後幕（ＭＧ−２）を走行させ、エリアセンサに適正な露光量をあたえている。
【００１９】
モータ制御回路１０８は、マイコン１からの信号に従ってモータを制御することにより、主ミラーのアップダウン、及びシャッターのメカ的なチャージを行っている。
【００２０】
ＳＷ１は不図示のレリーズ釦の第１ストロークでＯＮし、測光、ＡＦを開始するスイッチとなる。ＳＷ２はレリーズ釦の第２ストロークでＯＮし、露光動作を開始するスイッチとなる。
【００２１】
ＳＷ１，ＳＷ２及びその他不図示の撮像装置の操作部材からの信号は、スイッチセンス回路１１０が検知し、マイコン１に送っている。
【００２２】
液晶表示回路１１１はファインダー内ＬＣＤ４１とモニター用ＬＣＤ４２の表示をマイコン１からの信号に従って制御している。
【００２３】
次にレンズの構成に関して説明を行う。撮像装置本体とレンズはレンズマウント接点１０を介して相互に電気的に接続される。このレンズマウント接点１０はレンズ内のフォーカス駆動用モータ１６および、絞り駆動用モータ１７の電源用接点であるＬ０、レンズマイコン１１２の電源用接点であるＬ１、公知のシリアルデータ通信を行う為のクロック用接点Ｌ２、撮像装置からレンズへのデータ送信用接点Ｌ３、レンズから撮像装置へのデータ送信用接点Ｌ４、前記モータ用電源に対するモータ用グランド接点であるＬ５、前記レンズマイコン１１２用電源に対するグランド接点であるＬ６で構成されている。
【００２４】
レンズマイコン１１２は、これらのレンズマウント接点１０を介してマイコン１と接続され、１群レンズ駆動モータ１６及びレンズ絞りモータ１７を動作させ、レンズの焦点調節と絞りを制御している。３５、３６は光検出器とパルス板であり、レンズマイコン１１２がパルス数をカウントすることにより１群レンズの位置情報を得ることが出来、レンズの焦点調節を行うことが出来る。
【００２５】
続いて、図２により撮像部回路ブロック１２を詳しく説明する。
【００２６】
２００は、制御手段であるマイコン２で図１で説明したカメラ制御部回路ブロック１３と信号の伝達を行いながら、被写体像を撮像する撮像手段であるエリアセンサ２０２から画素出力を読み出し、ＡＤ変換器２０９によりＡＤ変換を行い、画像を形成し、記録媒体２００に記録する等の一連の制御を掌る。２０１は、タイミングジェネレータ（ＴＧ）であり、マイコン２からの指示に従ってエリアセンサ２０２の蓄積制御、画素出力の読み出し、マルチプレクサ２０８の制御、ＡＤ変換器２０９の制御を行っている。２０２は、エリアセンサであり、数百万の画素を光電変換を行って読み出すことが出来る。２０３は、その読み出すときに、１行分の画素出力を一時的に蓄える容量となっており、１列おきに２チャンネルに分割され２チャンネルのパスで読み出される構成となっている。２０４は、水平ＯＢ画素となり常に遮光されている画素である。ＯＢ部以外の有効画素領域と同様に容量２０３を介して読み出される。２０５は、垂直ＯＢであり、水平ＯＢ２０４と同様な役割を担う。２０６は、水平シフトレジスタであり、容量２０３に一時的に蓄えれた１行分の画素出力を、２チャンネルのパスで順次選択し出力する。２０７は、その容量２０３からの画素出力をバッファしている２チャンネル分のアンプ（複数の出力部）である。２０８は、マルチプレクサで、読み出された２チャンネル分を交互に選択する構成となっている。
【００２７】
水平シフトレジスタ２０６は、２チャンネルの出力周期を半位相ずらすことにより、マルチプレクサ２０８からの出力は、水平シフトレジスタ２０６の倍の周期で出力されることになる。２０９は、ＡＤ変換器であり、マルチプレクサ２０８からの出力をＴＧ２０１からのＡＤＴＲＧ信号のタイミングでＡＤ変換を順次行う。
【００２８】
２１０は、画像処理及びメモリ制御の回路であり、ＡＤ変換器２０９のＡＤ変換出力を順次メモリ２１１に格納する。さらに格納されたデジタルデータを処理することにより、画像を形成する。この画像データを再びメモリ２１１に格納する。
【００２９】
２１２は、適応離散コサイン変換（ＡＤＣＴ）等により画像データを圧縮伸長する圧縮・伸長回路であり，メモリ２１１に格納された画像を読み込んで圧縮処理或いは伸長処理を行い，処理を終えたデータを再びメモリ２１１に書き込む。
【００３０】
２１３はメモリカードやハードディスク等の記録媒体とのインタフェース，２１４はメモリカードやハードディスク等の記録媒体と接続を行うコネクタである。２２０はやハードディスク等の記録媒体である．
記録媒体２２０は，半導体メモリや磁気ディスク等から構成される記録部２２３，撮像装置とのインタフェース２２２，撮像装置と接続を行うコネクタ２２１を備えている．圧縮処理された画像データは、インターフェース２１３を介して、記録媒体２２０に記録される。
【００３１】
次に図３を用いて本実施の形態の撮像装置の動作フローを説明する。
［＃１０１］マイコン１はまずレリーズ釦の第１ストロークでＯＮするＳＷ１を検出する。ＳＷ１を検出するまではこの動作を繰り返し、ＳＷ１を検出すると次のステップに移行する。
［＃１０２］マイコン１は、前述の温度計回路１０９より環境温度をＡ／Ｄ変換により得る。
［＃１０３］マイコン１は、前述の測光回路１０６より画面内複数のエリアの被写体輝度情報をＡ／Ｄ変換により得る。この得られたデジタルデータは、＃１０２で得られた温度データにより補正を加え、正しい輝度情報にする。この輝度情報により、後述での露光動作に用いるシャッタースピード、絞り値を演算により求める。
［＃１０４］マイコン１は焦点検出回路１０５を駆動することにより周知の位相差検出法による焦点検出動作を行う。
【００３２】
焦点検出するポイント（測距ポイント）は前述したように複数あるため、マイコン１は各測距ポイントのデフォーカス量を演算する。このとき＃１０２で得られた温度データにより補正を加え、正しいデフォーカス量を演算する。
【００３３】
マイコン１は、求められた各測距ポイントのデフォーカス量より、周知のアルゴリズムよりどの測距点に主被写体が存在するかを判断し、その測距ポイントを主ポイントに決定する。
【００３４】
この周知アルゴリズムとは、各測距ポイントの中から一番近いものにする近点優先のものや、測距ポイントをデフォーカス量の近いものでグループ分けしてその中から選択する方法等がある。
【００３５】
選択された測距ポイントが合焦となるように、マイコン１はレンズ側と通信を行うことによってレンズの焦点調節を行う。
［＃１０５］マイコン１は、液晶表示回路１１１に指示することにより、シャッタースピード、絞り情報、合焦情報を表示する。
［＃１０６］マイコン１は、レリーズ釦の第２ストロークでＯＮするＳＷ２がＯＮであるかどうかを判別する。ＯＦＦであれば、ステップ１０１〜１０５までの動作を繰り返し、ＳＷ２がＯＮであれば、ステップ１０７以下のレリーズ動作に進む。
［＃１０７］ここからマイコン１は、いわゆる露光動作を行う。
【００３６】
すなわち、主ミラーをアップさせレンズを制御して絞りを制御する。
［＃１０８］マイコン１は、マイコン２に指示を送ることにより、マイコン２は、エリアセンサ２０２の蓄積を開始する。そして決められたシャッタースピード値（ＴＶ）になるようにシャッター制御回路１０７を制御する。
［＃１０９］マイコン２は、＃１０２で得られた温度データをマイコン１から通信でもらい、ＡＤ変換器を動作させるための信号の位相を決定する。マイコン２は、ＴＧ２０１に指示を送り、ＴＧ２０１は決定された位相でＡＤ変換器２０９にＡＤＴＲＧ信号を出力する。
［＃１１０］ＴＧ２０１からの信号に従い、エリアセンサ２０２からの画素出力は、ＡＤ変換器２０９によりＡＤ変換され、メモリ制御の２１０によりメモリ２１１に格納される。
［＃１１１］メモリ２１１に格納されたデジタルデータは、画像処理回路２１０により画像処理され、圧縮・伸長回路２１２により圧縮処理を行い、再びメモリ２１１に格納する。
［＃１１２］圧縮された画像データは、記録媒体２２０に記録され、一連の撮影作業が終わる。
【００３７】
その後、再び＃１０１に戻る。
【００３８】
図４は、図３の＃１１０の動作をＴＧ２０１周りの信号のタイミングチャートにより説明するための図である。まずＴＧでは、ＭＣＬＫマスタークロックを作成しておりこれをもとに、水平シフトレジスタ２０６を駆動するためのＨＳ＿ＡとＨＳ＿Ｂを出力する。ＨＳ＿ＡとＨＳ＿Ｂは半位相ずれており、エリアセンサの画素出力の１行分を一時的に蓄えている容量２０３から２チャンネルのパスで読み出す。その読み出された出力は、Ｓｏｕｔ＿Ａ、Ｓｏｕｔ＿Ｂで表わしている。ＴＧ２０１は、マルチプレクサ２０８に対して、ＭＰＸという信号を出力している。Ｓｏｕｔ＿Ａ、Ｓｏｕｔ＿Ｂはマルチプレクスされｏｕｔという信号になる。ＴＧ２０１は、ＡＤ変換器２０９にはＡＤＴＲＧというＡＤ変換器を動作させるための信号を出力し、ｏｕｔ出力をＡＤ変換器２０９がＡＤＴＲＧの立下りのタイミングでＡＤ変換する。ｏｕｔ出力の位相とＡＤＴＲＧの位相が適正でなければ、出力が大きく出なくてダイナミックレンジが狭くなったり、ＭＰＸのクロックノイズでｏｕｔ出力がノイズィなところで、ＡＤ変換しているとノイズの多い画像になったり、Ｓｏｕｔ＿Ａ、Ｓｏｕｔ＿Ｂの位相が微妙にずれていて、２チャンネルの出力が異なり、縦じまの画像になったりと、ｏｕｔ出力とＡＤＴＲＧの位相が適正であることは、非常に重要である。
【００３９】
しかしｏｕｔ出力は、ＭＣＬＫ→ＨＳ＿ｘ→Ｓｏｕｔ＿ｘ→ｏｕｔという経路で伝わるが、ＡＤＴＲＧ信号は、ＭＣＬＫ→ＡＤＴＲＧであるため、信号伝達には所定のディレイ量が生じるため、温度等が変わると相対的な位相が変わってきてしまう。図５は、ｏｕｔ出力とＡＤＴＲＧの信号の関係を温度によってどう変わるかを示したものである。常温のときに比べて、高温ではｏｕｔ出力はＴＡ＿１だけ遅れており、逆に低温ではｏｕｔ出力は、ＴＡ＿２だけ早まっている。つまり温度が変わることで、適正なＡＤＴＲＧの位相が変化しているということになる。
【００４０】
常温に対して温度が変化したときにｏｕｔ出力がどれだけ早くなったり遅くなったりするかをＴＡで表すと、温度によるＴＡの変化は図６のように表される。図６では、固体Ａ固体Ｂ固体Ｃというふうに３本の線を描いているが、撮像装置の固体が異なれば、ＴＡの値は異なり、温度変化も同じようにあるということを表している。
【００４１】
そこで、図３の＃１０９でＡＤ変換器を動作させるための信号の位相を決定することについて詳細に説明をすると、図７のようにＨＳ＿Ａ、ＨＳ＿Ｂという信号に対して、ＡＤＴＲＧの位相は、位相１から位相８まで選べるようになっている。そこで、図８のように温度によって、どの位相を選択するかを決めるということである。具体的に、常温が位相５だとすると、温度が下がるとｏｕｔ出力は早まるので、ＡＤＴＲＧの位相も早め位相４とする。さらに温度がさがれば位相３とする。反対に、温度が常温よりも上がれば位相６とする。
【００４２】
また、位相の最適ポイントは撮像装置の固体毎に異なるため、個別調整により、常温での位相５であったり位相４であったり位相６であったりすることになる。
【００４３】
次に、撮像装置の出荷前の工場で調整する工程である、ＡＤ変換器を動作させるための信号の位相の個別調整のやり方を図９を使って説明する。
［＃２０１］まずパラメータＸにａの値を入れる。このａの値は、ＡＤ位相調整の位相初期値である。
［＃２０２］撮像装置のエリアセンサに均一の光量を与え、位相（Ｘ）で、読み出しを行い、所定の値になるように感度を合わせる。感度の合わせる方法はアンプ２０７のゲインを２チャンネルそれぞれ調整するやり方や、ＡＤ変換器２０９のリファレンスを調整するやり方等いろいろなやり方が存在する。
［＃２０３］パラメータＸを１デクリメントする。
［＃２０４］撮像装置のエリアセンサに均一の光量を与え、位相（Ｘ）で読み出しを行う。
［＃２０５］＃２０４で得られた画像の出力を評価し、ＡＤ位相がこれでよいかの判定をする。ＡＤ位相が適正なのかどうかは、例えば出力が最大となるところが適正であるという考え方を採用すると、＃２０４で得られた画像の出力が＃２０２で調整された感度に対して下がっていれば、＃２０２での位相が適正ということになる。
［＃２０６］その場合は、パラメータＸが１デクリメントされているので、＃２０２での位相にするために、１インクリメントしてこの位相に決定する。
［＃２０７］＃２０５で、ＡＤ位相の判定がＮＧで合った場合は、パラメータＸがｌｉｍｉｔを超えて下がっていないかを確認し、＃２０２からを繰り返す。
【００４４】
＃２０２から＃２０５を繰り返すことによって、パラメータＸが１つずつデクリメントされていき、最適なＡＤ位相を見つけることができる。
【００４５】
パラメータＸが最後までいきついて、つまりｌｉｍｉｔより下回るまで最適なＡＤ位相が見つからないときは、何らかの不具合があるということで、この工程はＮＧとし前の工程に戻す。
【００４６】
最適なＡＤ位相を見つけるやり方の別のやり方を説明する。
【００４７】
＃２０５のところで、２チャンネルのパスのお互いの出力の感度が位相の変化により敏感でないところが最適なＡＤ位相であるという考え方を採用すると、＃２０４で得られた画像の２チャンネルのそれぞれの出力を比較して出力差が少なければ＃２０２での位相が適正ということになる。位相が少し狂っただけで、２チャンネルの出力の差異が出てくると、縦じま等のパターンノイズが出てくることになる。
【００４８】
上記では、Ａ／Ｄ変換器２０９を動作させるための信号の位相を調整する構成を説明したが、エリアセンサ２０２から読み出された、ＡＤ変換器２０９に入力されるよりも前段のアナログ信号の位相を調整するものであっても良い。
【００４９】
以上で説明したように、本実施の形態の被写体像を撮像する撮像手段であるエリアセンサ２０２を有する撮像装置は、所定の周期で動作する、エリアセンサ２０２から読み出されるアナログ信号をディジタル信号に変換するアナログ・ディジタル変換器２０９と、前記エリアセンサ２０２から読み出されるアナログ信号の位相と、前記アナログ・ディジタル変換器２０９を動作させる信号の位相との相対的な関係を、上記撮像装置の周辺の温度等の被写体条件に応じて、調整する制御手段であるマイコン２とを有することにより、高画素、高スピード読み出し、高画質を実現できる。
【００５０】
（実施の形態２）
次に本発明の実施の形態２を説明する。
【００５１】
本実施の形態では、撮像装置固体毎のＡＤ変換器を動作させるための信号の位相のばらつき及び、温度によるＡＤ変換器を動作させるための信号の位相の変化をエリアセンサの読み出し時の有効画素以外の部分を読み出すときに自動的に調整をするものである。
【００５２】
本実施の形態では、図３での＃１０２と、＃１０９のＡＤ位相決定の部分が不要となり、＃１１０のエリアセンサ読み出しのところで、図１０で示すフローの内容が追加される。
【００５３】
つまり、＃１１０では、ＴＧ２０１からの信号に従い、エリアセンサ２０２からの画素出力は、ＡＤ変換器２０９によりＡＤ変換されるが、このときエリアセンサの有効画素以外に垂直ＯＢ部２０５も有効画素に先立って読み出される。
［＃３０１］パラメータＸに１をいれる。
［＃３０２］位相（Ｘ）で垂直ＯＢ部の複数画素を読み出す。
［＃３０３］パラメータＸが８かどうかを判別する。
［＃３０４］８でなければ、パラメータＸをインクリメントし、＃３０２から＃３０３を繰り返す。これにより、ＡＤ位相の１から８まででそれぞれ垂直ＯＢ部から複数画素を読み出すこととなる。
［＃３０５］それぞれのＡＤ位相での画素出力を比較する。
［＃３０６］適正なＡＤ位相を決定、有効画素は決定されたＡＤ位相により読み出す。
【００５４】
この＃３０６での適正なＡＤ位相を見つける考え方は、基本的に前述の＃２０５での考え方と同じでよい。すなわち、最大の出力となるＡＤ位相を適正とするとか、２チャンネルの出力差が位相を変化させても一番少ないところというＡＤ位相を適正とするということである。
【００５５】
但し、ＯＢ部の出力なので，図９での説明のように光を入れた出力での比較とは異なり、出力自体が小さいため適正レベルを見つけにくいということはあるが、不可能なレベルではない。
【００５６】
ただ、最適なＡＤ位相を見つけることの精度を高めるために、ＯＢ部とはいっても、所定の出力がでるような回路を垂直ＯＢ部２０５及び容量２０３に仕込んでもよい。
【００５７】
このように本発明の実施の形態２における、被写体像を撮像する撮像手段であるエリアセンサ２０２を有する撮像装置は、所定の周期で動作する、上記エリアセンサ２０２から読み出されるアナログ信号をディジタル信号に変換するアナログ・ディジタル変換器２０９と、上記エリアセンサ２０２から読み出されるアナログ信号の位相と、上記アナログ・ディジタル変換器２０９を動作させるための信号の位相とを段階的に相対的にずらし、各々のずらし量で得られた前記エリアセンサ２０２からの信号の比較に基づき、上記エリアセンサ２０２から読み出されるアナログ信号の位相と、上記アナログ・ディジタル変換器を動作させる信号の位相との相対的な関係を決定する制御手段であるマイコン２と、を有することにより、エリアセンサの読み出し時に自動的にＡＤ位相の調整するようにしたため、工程での調整が省略された上、ＡＤ位相の調整の信頼性が増し、高画素でスピードの速い高画質を実現出来た。
【００５８】
また、本発明の実施の形態２における、被写体像を撮像する撮像手段であるエリアセンサ２０２を有する撮像装置は、所定の周期で動作する、上記エリアセンサ２０２から読み出されるアナログ信号をディジタル信号に変換するアナログ・ディジタル変換器２０９と、上記エリアセンサ２０２から読み出されるアナログ信号の位相と、前記アナログ・ディジタル変換器２０９を動作させるための信号の位相とを段階的に相対的にずらし、各々のずらし量で得られた前記エリアセンサの複数の出力部からの信号の比較に基づき、上記エリアセンサから読み出されるアナログ信号の位相と、前記アナログ・ディジタル変換器２０９を動作させる信号の位相との相対的な関係を決定する制御手段であるマイコン２と、を有することにより、エリアセンサの読み出し時に自動的にＡＤ位相の調整するようにしたため、工程での調整が省略された上、ＡＤ位相の調整の信頼性が増し、高画素でスピードの速い高画質を実現出来た。
【００５９】
【発明の効果】
本発明では、高画質な撮像装置の提供が可能となる。
【図面の簡単な説明】
【図１】本発明の実施の形態の撮像装置の一部分の構成ブロック図である。
【図２】本発明の実施の形態の撮像装置の一部分の構成ブロック図である。
【図３】本発明の実施の形態の撮像装置を動作させるためのフローチャートである。
【図４】エリアセンサからの読み出す部分のタイミングチャートである。
【図５】エリアセンサからの読み出す部分のタイミングチャートの温度による変化を示した図である。
【図６】温度と読み出しのディレイ変化量を表したグラフである。
【図７】ＡＤ変換器を動作させるための信号の位相を示した図である。
【図８】温度と、決定されるＡＤ変換器を動作させるための信号の位相を表したグラフである。
【図９】工程でＡＤ変換器を動作させるための信号の位相を決めるフローである。
【図１０】本発明の実施の形態２の読み出し時に自動的にＡＤ変換器を動作させるための信号の位相を決定する方法のフローである。
【符号の説明】
２０１  タイミングジェネレータ（ＴＧ）
２０２  エリアセンサ
２０３  １行分のバッファ容量
２０６  水平シフトレジスタ
２０７  読み出しアンプ
２０８  マルチプレクサ
２０９  ＡＤ変換器
【図１】
2004172848.tif 000003
【図２】
2004172848.tif 000004
【図３】
2004172848.tif 000005
【図４】
2004172848.tif 000006
【図５】
2004172848.tif 000007
【図６】
2004172848.tif 000008
【図７】
2004172848.tif 000009
【図８】
2004172848.tif 000010
【図９】
2004172848.tif 000011
【図１０】
2004172848.tif 000012